(57)【要約】【課題】胸ポケットに入れることができ、胸ポケットの汚れと損傷を防止できる文具ケースを提供する。【解決手段】被服の胸ポケット２に入る大きさの略直方体形状に形成され、複数の長尺棒状文具３を並べて収納できるとともに、文具を入れるための開口部１１６を有するケース本体１１と、ケース本体の前面１１１の上端縁から延在し、ケース本体の前面との間で胸ポケットの上端２１を挟み込むことができるように上端縁を境界線として折り曲げ自在に形成された舌片１２と、を有する。【選択図】  図１
2005124723.tif 000002
【特許請求の範囲】
【請求項１】
被服の胸ポケットに入る大きさの略直方体形状に形成され、複数の長尺棒状文具を並べて収納できるとともに、前記文具を入れるための開口部を有するケース本体と、
前記ケース本体の前面の上端縁から延在し、前記ケース本体の前面との間で前記胸ポケットの上端を挟み込むことができるように前記上端縁を境界線として折り曲げ自在に形成された舌片と、を有することを特徴とする文具ケース。
【請求項２】
前記ケース本体の前面に対面する後面の上端縁から上方に延在するガード部をさらに有することを特徴とする請求項１記載の文具ケース。
【請求項３】
前記ガード部の左側の一部に切り欠き部が形成されていることを特徴とする請求項２記載の文具ケース。
【請求項４】
前記ケース本体の後面にポケットが設けられていることを特徴とする請求項１〜３の何れかに記載の文具ケース。
【請求項５】
ネームカードを入れるカードケースをさらに有し、前記舌片に形成された係合部と前記カードケースに形成された係合部とを係合させることにより前記舌片に前記カードケースが着脱自在に装着されることを特徴とする請求項１〜４の何れかに記載の文具ケース。
【発明の詳細な説明】
【技術分野】
【０００１】
本発明は、ペンやペン状消しゴムなどの長尺棒状文具を収納して胸ポケットに入れることができる文具ケースに関する。
【背景技術】
【０００２】
シャープペンシル，ボールペン，万年筆又はペン状消しゴムなどの長尺棒状の文具を胸ポケットに差し込んで携帯することが行われているが、キャップのない筆記具を胸ポケットに差し込むと胸ポケットがインクなどで汚れたり、筆記具のクリップで胸ポケットの端部が損傷したりする。
【０００３】
また、筆記具をばらばらに胸ポケットに差し込むので、使用した後に胸ポケットに戻し忘れて紛失したり、仕事が終わってそのまま自宅に持ち帰ってしまい、服を着替えるときに紛失したりすることも少なくない。
【０００４】
従来公知のペンケースは、胸ポケットに入れる適当な大きさではないので、カバンなどに入れて携帯する必要があり、即座に筆記具を取り出せない不便さがある。
【発明の開示】
【０００５】
本発明は、胸ポケットに入れることができ、胸ポケットの汚れと損傷を防止できる文具ケースを提供することを目的とする。
上記目的を達成するために、本発明によれば、被服の胸ポケットに入る大きさの略直方体形状に形成され、複数の長尺棒状文具を並べて収納できるとともに、前記文具を入れるための開口部を有するケース本体と、前記ケース本体の前面の上端縁から延在し、前記ケース本体の前面との間で前記胸ポケットの上端を挟み込むことができるように前記上端縁を境界線として折り曲げ自在に形成された舌片と、を有することを特徴とする文具ケースが提供される。
【０００６】
本発明において、前記ケース本体の前記前面に対面する後面の上端縁から上方に延在するガード部をさらに有することがより好ましく、前記ガード部の左側の一部に切り欠き部を形成することもできる。
【０００７】
また、本発明において、前記ケース本体の後面にポケットを設けることができる。
【０００８】
さらに，本発明において、ネームカードを入れるカードケースをさらに有し、前記舌片に形成された係合部と前記カードケースに形成された係合部とを係合させることにより前記舌片に前記カードケースを着脱自在に装着させることもできる。
【０００９】
本発明では、文具ケースのケース本体を被服の胸ポケットに入る大きさの略直方体形状に形成し、シャープペンシル，ボールペン，万年筆又はペン状消しゴム長などの長尺棒状の文具をケース本体の開口部から差し込むが、ケース本体を胸ポケットに入れるときに，舌片とケース本体の前面とで胸ポケットの上端を挟み込み、その上から文具に設けられたクリップを舌片に差し込む。すなわち、胸ポケットの上端縁をケース本体の前面と舌片とで挟んだ上からクリップを差し込む。これにより、文具はすべてケース本体に収容されているので胸ポケットを汚すおそれがなくなり、さらにケース本体の前面と舌片とで胸ポケットの上端を挟んでいるのでクリップにより胸ポケットの上端が損傷するといった不具合が解消される。
【００１０】
これに加えて、文具を入れたまま文具ケースを胸ポケットから引き出すことができ、また文具を入れたまま文具ケースを胸ポケットに入れることができるので、仕事が終わった時などのように文具を使用しないときは文具ケースを仕事場に置いておき、翌朝出社したときに文具ケースから文具を取り出して胸ポケットに入れ、再び文具を差し込むことにより、文具の紛失を防止することができる。
【発明の実施の形態】
【００１１】
以下、本発明の実施形態を図面に基づいて説明する。  
図１は本発明の実施形態に係る文具ケースを示す図であり、図１（Ａ）は正面斜視図、図１（Ｂ）は背面斜視図、図２は本発明の実施形態に係る文具ケースの展開図、図３は本発明の実施形態に係る文具ケースの使用方法を説明するための図であって，図３（Ａ）は斜視図、図３（Ｂ）は縦断面図、図４は本発明の実施形態に係る文具ケースを胸ポケットに入れた状態を示す斜視図である。
【００１２】
本実施形態に係る文具ケース１は、ケース本体１１と舌片１２とガード部１３とポケット１４とカードケース１５とを有する。なお、このうちガード部１３，ポケット１４及びカードケース１５は必要に応じて省略することができる。
【００１３】
本実施形態に係るケース本体１１は、ワイシャツやスーツなどの被服の胸ポケット２に入る大きさであって、中にシャープペンシル，ボールペン，万年筆又はペン状消しゴムなどの長尺棒状の文具３が複数本並べて入れることができる大きさの直方体形状に形成されている。ワイシャツの胸ポケット２は、一般的には高さが１３０ｍｍ前後、幅が１１０ｍｍ前後であることから、本例では、高さＨを１３０ｍｍ、幅Ｗを９０ｍｍ、厚さＤを１０ｍｍとすることで、長さ１３０〜１４０ｍｍ、直径１０ｍｍ前後のペンを６〜７本収納することができるように構成している。
【００１４】
ただし、こうしたケース本体１１の大きさは、目的や用途に応じて適宜変更することができ、少なくとも対象となる胸ポケット２に入る大きさであって、収容しようとする文具３が入る大きさであればよい。たとえば、標準的なペンが２本又は３本収容する小型のケース本体とすることもできる。
【００１５】
ちなみに、本発明に係る文具ケース１は、シャープペンシル，ボールペン，万年筆，サインペンなどの筆記具のみならず、長尺棒状であって好ましくはクリップ付の文具、たとえば筆記具以外のものでは、ペン型消しゴム、ペン型ライト、印鑑、ペーパーナイフなどを収容することができる。本発明に係る「長尺棒状文具」とはこれら全てを含む趣旨である。
【００１６】
ケース本体１１は，図２の展開図に示すように、前面１１１，後面１１２，左側面１１３，右側面１１４及び底面１１５が，一枚のポリプロピレンシートを切断することにより一体的に形成され、左側面１１３に連なって形成された糊代部１１３ａ及び右側面１１４に連なって形成された糊代部１１４ａを後面１１２に熱圧着や接着剤などの手段で接着することにより、上面に開口部１１６を有する直方体形状のケース本体１１が組み立てられる。このうち、左側面１１３と右側面１１４のそれぞれの中心は縦方向に谷折りされ、また底面１１５と前面１１１及び後面１１２との境界線は湾曲曲げされている。これにより、ケース本体１１として、いわゆるまち（襠）付きのケースとなり、使用しないときなどは押し潰すことで保管スペースなどが少なくなる。
【００１７】
また、左側面１１３と底面１１５との間及右側面１１４と底面１１５との間は接続されていないので、ケース本体１１のストレスが集中するのを防止できる。さらに、この部分に孔が形成されるので，ケース本体１１に溜まったゴミなどをここから排出することができる。
【００１８】
なお、文具ケース１を構成する材料としては、ポリプロピレンなどの各種プラスチックのほか合成皮革など、種々の材料を採用することができる。特に合成皮革により構成すると高級感ある文具ケースになり、また透明のプラスチックで構成すると胸ポケットに入れても目立たず，見栄えのよい文具ケースとなる。
【００１９】
本実施形態に係る舌片１２は、図２に示すように前面１１１の一端縁、図１に示す斜視図で言えば前面１１１の上端縁から一体的に延在して形成され、この前面１１１との境界線がケース本体１１の外側に向かって折り曲げられている。この舌片１２の長さＬは、図３（Ｂ）に示すように文具３のクリップ３１を差し込んだときに、クリップ３１との接触部分が確保できる長さ以上であればよく、本例では３０ｍｍとしている。
【００２０】
この舌片１２は、図３及び図４に示すように、前面１１１との間で胸ポケット２の上端２１を挟み込み、この上端２１を保護する機能を司る。
【００２１】
本実施形態に係るガード部１３は、図２に示すように後面１１２の一端縁，図１に示す斜視図で言えば後面１１２の上端縁から一体的に折り曲げることなく延在して形成されている。このガード部１３は、ペンなどの文具３を入れたときにケース本体１１からはみ出した文具の頭部が胸に当たるのを防止する。また、このガード部１３は文具ケース１を胸ポケット２に入れたり出したりする際の把持部としての機能も司る。
【００２２】
なお、本例ではガード部１３の左側に切り欠き部１３１が形成されているが，これは文具ケース１を胸ポケット２に入れたときに、左腕がガード部１３に当たるという違和感を解消するためである。
【００２３】
本実施形態に係るポケット１４は、図２に示すように三辺に糊代部１４ａが形成され，この糊代部１４ａをケース本体１１の後面１１２の外面に熱圧着や接着剤などの手段で接着することで、ネームカードやプリペイカードなどを入れておくことができる。
【００２４】
さらに本実施形態に係る文具ケース１には、名前を印字したカードや名刺などのネームカード（名札）を入れることができる大きさに形成された、ポリプロピレン製カードケース１５が着脱可能に設けられている。このカードケース１５は，上端に開口部１５１を有し、ここからネームカードを出し入れすることができる。また、上端の近くに左右一対の折り曲げ片１５２，１５２が形成され、この一対の折り曲げ片１５２，１５２を舌片１２に形成された一対のスリット１２１，１２１に挿入することで、カードケース１５を文具ケース１に対して簡単にしかも強固に取り付けることができ、また容易に取り外すことができる。このカードケース１５にネームカードを入れ，舌片１２に装着して文具ケース１を胸ポケット２に入れると、胸のあたりにネームカードが位置するので名札の機能を司ることになる。
【００２５】
本実施形態に係る文具ケース１においては、ケース本体１１をワイシャツなどの胸ポケット２に入る大きさの略直方体形状に形成し、シャープペンシル，ボールペン，万年筆又はペン状消しゴム長などの長尺棒状の文具３をケース本体１１の開口部１１６から差し込むが、その前に図３（Ａ）に示すようにケース本体１１を胸ポケット２に入れ，舌片１２とケース本体１１の前面１１１とで胸ポケット２の上端２１を挟み込み、次いで同図（Ｂ）に示すようにその上から文具３に設けられたクリップ３１を舌片１２に差し込む。すなわち、胸ポケット２の上端縁２１をケース本体１１の前面１１１と舌片１２とで挟んだ上からクリップ３１を差し込む。これにより、文具３はすべてケース本体１１に収容されているので胸ポケット２を汚すおそれがなくなり、さらにケース本体１１の前面１１１と舌片１２とで胸ポケット２の上端２１を挟んでいるのでクリップ３１により胸ポケット２の上端２１が損傷するといった不具合が解消される。
【００２６】
これに加えて、図４に矢印にて示すように、文具３を入れたまま文具ケース１を胸ポケット２から引き出すことができ、また文具３を入れたまま文具ケース１を胸ポケット２に入れることができるので、仕事が終わった時などのように文具３を使用しないときは文具ケース１を仕事場に置いておき、翌朝出社したときに文具ケースから文具を取り出して胸ポケット２に入れ、再び文具を差し込むことにより、文具３の紛失を防止することができる。
【００２７】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【００２８】
【図１】本発明の実施形態に係る文具ケースを示す、（Ａ）正面斜視図及び（Ｂ）背面斜視図である。
【図２】本発明の実施形態に係る文具ケースの展開図である。
【図３】本発明の実施形態に係る文具ケースの使用方法を説明するための（Ａ）斜視図，（Ｂ）縦断面図である。
【図４】本発明の実施形態に係る文具ケースを胸ポケットに入れた状態を示す斜視図である。
【符号の説明】
【００２９】
１…文具ケース
１１…ケース本体
１２…舌片
１３…ガード部
１４…ポケット
１５…カードケース
２…胸ポケット
２１…上端
３…ペン（長尺棒状文具）
３１…クリップ
【図１】
2005124723.tif 000003
【図２】
2005124723.tif 000004
【図３】
2005124723.tif 000005
【図４】
2005124723.tif 000006